【手続補正書】
【提出日】平成18年7月20日(2006.7.20)
【手続補正１】
【補正対象書類名】明細書
【補正対象項目名】全文
【補正方法】変更
【補正の内容】
【書類名】明細書
【発明の名称】使い捨て吸収性物品
【特許請求の範囲】
【請求項１】肌と接触するシートが直接法によって製造され、繊度が２．１ｄｔｅｘ以下の不織布からなることを特徴とする使い捨て吸収性物品。
【請求項２】肌と接触するシートが着用者側に位置し、体液を透過させるシートであり、このシートに親水化処理がなされている請求項１記載の使い捨て吸収性物品。
【請求項３】肌と接触するシートが物品のフラップを構成するシートである請求項１記載の使い捨て吸収性物品。
【請求項４】肌と接触するシートが着用者側に起立するバリヤーカフスを構成するシートである請求項１記載の使い捨て吸収性物品。
【請求項５】肌と接触するシートが脚周りにおける肌に接触するシートであり、このシートを折り返しその折り返し部が脚周りの肌に接触するものである請求項１記載の使い捨て吸収性物品。
【請求項６】製品の使用面を構成し肌と接触するトップシートと、吸収体と、これらの間にセカンドシートとを有し、
前記トップシートが直接法により得られ、繊度が２．１ｄｔｅｘ以下の長繊維不織布からなり、
前記セカンドシートの体液浸透速度が前記トップシートの体液浸透速度より速い不織布からなる、ことを特徴とする使い捨て吸収性物品。
【請求項７】セカンドシートの繊維密度がトップシートの繊維密度より小さい請求項６記載の使い捨て吸収性物品。
【発明の詳細な説明】
【０００１】
【発明の属する技術分野】
本発明は、使い捨て紙おむつ、生理用ナプキン、失禁用パッドなどの使い捨て吸収性物品に関する。
【０００２】
【従来の技術】
使い捨て吸収性物品として、使い捨て紙おむつを例に採ると、透液性トップシートは、体液を速やかに内部の吸収体に移行させ、移行後はサラッとした感覚を与え、しかも肌に刺激のないものであることが要求される。
【０００３】
この透液性トップシートとしては、多孔フィルムも考えられるが、紙おむつにおいては通常は不織布が用いられる。
【０００４】
この不織布に関して、種々の改良がなされているが、従来の改良の方向性は、材質的な観点からのものが多く、繊度に注目する傾向になかった。すなわち、市販品を見る限り、短繊維不織布か、直接法（スパンボンド法またはメルトブローン法）によるものでも繊度が大きい不織布が用いられてきた。
【０００５】
【発明が解決しようとする課題】
しかし、短繊維不織布でトップシートを構成すると、繊維の先端が不織布表面から突出し、肌への刺激が大きい。ちなみに、図６（Ａ）には短繊維不織布の表面を顕微鏡で観察した場合における形状を図示した。
【０００６】
この点、直接法による不織布でトップシートを構成すると、繊維の先端が不織布表面から突出することによる肌への刺激は殆どない。しかし、従来のものは、繊度が２．１ｄｔｅｘを超えるもので大きいので、繊維間の大きい間隙を通して体液を速やかに内部の吸収体に移行させことができる点で好適ではあるが、「肌触り」、「地合」もしくは「平滑性」が良好ではない。
【０００７】
したがって、本発明の主たる課題は、肌への刺激が少なく「肌触り」が良好であり、「地合」及び「平滑性」に優れる、肌と接触するシートを有する使い捨て吸収性物品を提供することにある。
【０００８】
【課題を解決するための手段】
＜請求項１記載の発明＞
肌と接触するシートが直接法によって製造され、繊度が２．１ｄｔｅｘ以下の不織布からなることを特徴とする使い捨て吸収性物品。
【０００９】
（作用効果）
直接法による不織布で肌と接触するシートを構成すると、繊維が実質的に連続化しているので、短繊維の場合における先端が不織布表面から突出し肌に刺激を与えることは殆どなく、物理的刺激によるカブレなどを抑制できる。
しかも、繊度が２．１ｄｔｅｘ以下であるために、肌触りや手触り感として滑らかとなり、装着者及び着用者に心地よさを与えるものとなる。また、いわゆる「地合」に優れたものとなり、シートの固定などに際してホットメルト接着剤を使用した場合、そのホットメルト接着剤が肌と接触する面に滲み出すことがなく、これが原因となる肌のカブレを防止することができる。
【００１０】
＜請求項２記載の発明＞
肌と接触するシートが着用者側に位置し、体液を透過させるシートであり、このシートに親水化処理がなされている請求項１記載の使い捨て吸収性物品。
【００１１】
（作用効果）
肌と接触するシートが着用者側に位置し、体液を透過させるシート、いわゆるトップシートが直接法によって製造され、繊度が２．１ｄｔｅｘ以下の不織布からなるものであると、股間の肌触りが滑らかとなり、着用者に心地よさを与え、物理的刺激によるカブレを抑制できるものとなる。
また、本発明に従って、繊度が２．１ｄｔｅｘ以下の不織布シートを使用すると、繊維が密になるので、体液の吸収体内部への移行速度が遅くなる傾向となるところ、シートを親水化処理したものとすることにより、体液を速やかに内部の吸収体に移行させことができる。
【００１２】
＜請求項３記載の発明＞
肌と接触するシートが物品のフラップを構成するシートである請求項１記載の使い捨て吸収性物品。
【００１３】
（作用効果）
物品のフラップを構成するシートは主に脚周りの肌に接触するが、脚周りの肌、特に内側は物理的刺激に敏感である。しかるに本発明に従って、直接法によって製造され、繊度が２．１ｄｔｅｘ以下の不織布からなるシートを用いることにより、脚周りの肌の物理的刺激によるカブレなどを抑制できる。
【００１４】
＜請求項４記載の発明＞
肌と接触するシートが着用者側に起立するバリヤーカフスを構成するシートである請求項１記載の使い捨て吸収性物品。
【００１５】
（作用効果）
着用者側に起立するバリヤーカフスを構成するシートは、着用者の股間部の肌に接触し、かつ着用者の運動によって相対的位置が移動する頻度が高い。しかるに、股間部の肌は物理的刺激に敏感である。本発明に従って、直接法によって製造され、繊度が２．１ｄｔｅｘ以下の不織布からなるシートを用いることにより、股間の肌触りが滑らかとなり、着用者に心地よさを与え、股間部の肌の物理的刺激によるカブレなどを抑制できる。
【００１６】
＜請求項５記載の発明＞
肌と接触するシートが脚周りにおける肌に接触するシートであり、このシートを折り返しその折り返し部が脚周りの肌に接触するものである請求項１記載の使い捨て吸収性物品。
【００１７】
（作用効果）
脚周りの肌は物理的刺激に敏感である。シートを折り返しその折り返し部が脚周りの肌に接触させるようにすることにより、物理的刺激によるカブレや肌荒れを抑制することができる。
【００１８】
＜請求項６記載の発明＞
製品の使用面を構成し肌と接触するトップシートと、吸収体と、これらの間にセカンドシートとを有し、
前記トップシートが直接法により得られ、繊度が２．１ｄｔｅｘ以下の長繊維不織布からなり、
前記セカンドシートの体液浸透速度が前記トップシートの体液浸透速度より速い不織布からなる、ことを特徴とする使い捨て吸収性物品。
【００１９】
（作用効果）
本発明に従って、繊度が２．１ｄｔｅｘ以下の不織布を使用すると、繊維が密になるので、体液の吸収体内部への移行速度が遅くなる傾向となるが、トップシートと吸収体との間にセカンドシートを設け、このセカンドシートとしてその体液浸透速度がトップシートの体液浸透速度より速い不織布により構成すると、トップシートで受け入れた体液をセカンドシートに速やかに浸透させることができ、もって内部の吸収体に速やかに移行させことができる。
【００２０】
＜請求項７記載の発明＞
セカンドシートの繊維密度がトップシートの繊維密度より小さい請求項６記載の使い捨て吸収性物品。
【００２１】
（作用効果）
セカンドシートの繊維密度がトップシートの繊維密度より小さいので、体液浸透速度がより速いものとなり、請求項６の作用効果を示すものとなる。
【００２２】
【発明の実施の形態】
以下、本発明をさらに詳説する。
本発明は、使い捨て紙おむつ、生理用ナプキン、失禁用パッドなどの使い捨て吸収性物品を対象とする。この使い捨て吸収性物品において、肌と接触するシートとして、直接法によって得られた、繊度が２．１ｄｔｅｘ以下の不織布を使用する。
【００２３】
直接法は、紡糸直結方式とも呼ばれ、溶融高分子溶液から紡糸された繊維を集めて直接ウェブとするもので、スパンボンド法またはメルトブローン法を代表例とする。特に、連続繊維となるスパンボンド法によるものが好適に用いられる。また、本発明においては、繊度が２．１ｄｔｅｘ以下、より望ましくは２．０ｄｔｅｘ以下ものを用いる。下限については限定はないが、トップシートを形成する場合には体液の浸透性の点で１．３ｄｔｅｘ以上であることが望まれる。
【００２４】
少なくとも市販の紙おむつ用のトップシートに用いられている不織布の多くは、直接法によることなく、短繊維を接合したものであり、繊度は約２.２〜２.８である。また、直接法による不織布を用いた市販品が唯一あるが、その繊度は２.８で大きい。
【００２５】
本発明に従って、肌と接触するシートとして、直接法により得られ、繊度が２．１ｄｔｅｘ以下の不織布からなるものを用いると、前述の作用効果を得られるが、繊維が密になるので、体液の吸収体内部への移行速度が遅くなる傾向となるので、これを解決するために、シートを親水化処理する、たとえば親水剤を含む液を塗布することにより、体液を速やかに内部の吸収体に移行させことができる。
【００２６】
この、親水剤としては、各種の界面活性剤を使用でき、親油基と親水基とを有する親水性の界面活性剤であれば特に限定されないが、アニオン系界面活性剤、またはエチレンオキサイドを適当モル数付加した非イオン系界面活性剤が望ましい。たとえば、アルキルエーテルサルフェート、スルホコハク酸エステル、ポリオキシエチレンアルキルエーテル、ポリオキシエチレンアルキルフェノールエーテル、グリセリン脂肪酸エステルなどが挙げられる。
【００２７】
シートの親水化処理には、親水剤（界面活性剤）のスプレー、ドラム転写などによる塗布または含浸させて行なう。その付与量は種々変化させることができるが、通常０．０１〜５重量％、好ましくは０．０３〜１重量％である。０．０１重量％以上の付与量とすることにより、液の浸透性と拡散性が優れたものとなる。また、５重量％以下の付与量とすることにより、親水剤のベトツキ感が残らないものとなる。
【００２８】
本発明の使い捨て吸収性物品を構成する場合において、肌と接触するシートがトップシートである場合には、そのトップシートと、吸収体との間にセカンドシートを設け、このセカンドシートとしてその体液浸透速度がトップシートの体液浸透速度より速い不織布により構成すると、トップシートで受け入れた体液をセカンドシートに速やかに浸透させることができ、もって内部の吸収体に速やかに移行させることができる。
【００２９】
この機能を満足させるセカンドシートとしては、セカンドシートの繊維密度がトップシートの繊維密度より小さいものを使用できる。したがって、セカンドシートとして、たとえば繊度が２．１ｄｔｅｘを超えるもの、特に２．１ｄｔｅｘを超え１１．０ｄｔｅｘ以下のものを使用できる。また、セカンドシートは肌に直接接触しないから、短繊維不織布からなるものを用いることもできる。さらに、セカンドシートとして、メッシュ状のフィルムや孔開き不織布なども用いることができる。セカンドシートは、保水性繊維を含むものであってもよい。この保水性繊維としては、レーヨンやセルロース誘導体などの繊維を挙げることができ、これを他の素材に対して織り込むことができる。セカンドシートに上記親水剤を添加することもできる。
【００３０】
不織布の材質としては、ポリプロピレン、ポリエチレン、ポリエチレンテレフタレート、ポリアミド、ナイロン、レーヨン、ビニロン、アクリルなどを挙げることができ、直接法による場合には、ポリプロピレン、ポリエチレンテレフタレート、ナイロン繊維からなるものが好適に採用できる。短繊維の接合には、湿式法、乾式法（エアレイ法やカード法）、スパンレース法などにより、熱や接着剤により点接着、水流や針等で交絡させる形態を挙げることができる。コア／シェル、サイドバイサイド構造の複合繊維からなる不織布も挙げることができ、この複合繊維として、ポリエチレンテレフタレート／ポリエチレン、ポリプロピレン／ポリエチレン、ポリプロピレン／ポリプロピレンなどを挙げることができる。
【００３１】
本発明における肌と接触するシートの坪量は、５〜２００ｇ／ｍ2、特に１０〜４０ｇ／ｍ2が望ましく、見かけ厚みは１５〜６００μｍ、特に５０〜３００μｍが望ましい。セカンドシートの坪量及び見かけ厚みは、肌と接触するシートと同様の範囲内で適宜選択できるが、セカンドシートの坪量及び見かけ厚みを、肌と接触するシートより高いものとすることができる。
【００３２】
吸収体に体液が速やかに浸透することが重要である。このために、吸収体としては、フラッフパルプを主体とし、高分子吸水ポリマーを併用したものが望ましい。高分子吸水ポリマーは、フラッフパルプ層中全体に分散させる場合、高分子吸水ポリマー／フラッフパルプとの重量割合は、３０／７０〜７０／３０とすることができる。高分子吸水ポリマーは、自重の２０倍以上の液体を吸収して保持する性能を有し、ゲル化する性質を有する。フラッフパルプ層に対して、上層及び又は下層にティッシュ層（クレープ紙）を配置し、フラッフパルプ層の形状保持を図ることができる。高分子吸水ポリマーはフラッフパルプ層の上及び又は下に設けることもできる。吸収体の吸収速度は、ｖｏｒｔｅｘ吸収速度で３０秒以下が特に望ましい。
【００３３】
高分子吸水ポリマーとしては、例えば、デンプン−アクリル酸塩共重合体架橋物、ポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物、変性セルロース誘導体、架橋ポリエチレンオキシドなどが挙げられる。好ましくは、イオン浸透圧により多量の液を吸収・保持することができ、荷重や外力が加わっても離水の少ないアクリル酸塩および／またはアクリル酸を重合体の主単量体成分とするポリアクリル酸ナトリウム系の樹脂が適当である。
【００３４】
高分子吸水ポリマーは、生理食塩水に対する常圧吸収量が４０ｇ／ｇ以上、加圧吸収量が２０ｇ／ｇ以上で、ゲル弾性率が２０，０００ダイン／ｃｍ2以上のものが好ましく、より好ましくは常圧吸収量が４５〜７５ｇ／ｇ、加圧吸収量が２５〜５０ｇ／ｇ、ゲル弾性率が３０，０００〜２００，０００ダイン／ｃｍ2、特に好ましくは常圧吸収量が５０〜７５ｇ／ｇ、加圧吸収量が３０〜５０ｇ／ｇ、ゲル弾性率が３５，０００〜２００，０００ダイン／ｃｍ2のものである。常圧吸収量が４０ｇ／ｇ以上の高分子吸水ポリマーを使用することにより、高分子吸水ポリマーを極めて小量使用するだけで必要な吸収特性を達成でき、経済的である。また加圧吸収量が２０ｇ／ｇ以上の高分子吸水ポリマーを用いることによって、高分子吸水ポリマーを少量使用するだけで必要な吸収特性を達成でき、経済的である。またゲル弾性率が２０，０００ダイン／ｃｍ2以上の高分子吸水ポリマーを用いると、吸液した膨潤ゲルが柔らかすぎることがなく、荷重や外力によって膨潤ゲルが変形しにくく、膨潤ゲル向上が接着してブロッキングを生じたり、液の浸透や拡散を妨げる恐れがなく好ましい。
【００３５】
次に、本発明の使い捨て紙おむつの実施の形態を図面を参照しながらさらに詳説する。使い捨て紙おむつとしては、止着テープ型及びパンツ型の両者を含む。
【００３６】
＜第１の実施の形態＞
図１及び２は、第１の実施の形態に係る紙おむつを示したものである。この紙おむつは、不織布や多孔フィルムなどからなる長方形などの形状の透液性のトップシート１と、ポリエチレンシートやポリラミ不織布、ミクロボイドを形成して蒸気は透過するが液は透過させない形態等からなる、砂時計形状の特に好適にはポリエチレンシートからなる不透液性シート２との間に、綿状パルプ等からなる、たとえば長方形や砂時計形状など適宜形状のある程度剛性を有する吸収体３が介在されている。この吸収体３には高分子吸収性ポリマーを添加できるとともに、綿状パルプの上下面をティッシュペーパーで包むことができる。
【００３７】
紙おむつの両側部には、横漏れ防止効果、特に軟便の横漏れ防止効果を高めるために、使用面側に突出して自由起立する脚周り用バリヤーカフスＢ１を形成してある。このバリヤーカフスＢ１は、実質的に幅方向に連続したバリヤーシート４と、適宜数の実施の形態では２本の弾性伸縮部材５Ａ，５Ａとにより構成してある。バリヤーシート４の幅方向外方部分は、透液性トップシート１の端部に固着始端をもって不透液性シート２の表面にホットメルト接着剤などにより固着してあり、固定始端が近位縁Ｅ２を構成する。
【００３８】
また、バリヤーシート４の幅方向内方部分は、遠位縁Ｅ１で折り返され二重になっており、この二重となったバリヤーシート４の間に、弾性伸縮部材５Ａ，５Ａを配置してある。配置した弾性伸縮部材５Ａ，５Ａは、伸長下でバリヤーシート４にホットメルト接着剤等により固着してある。したがって、バリヤーシート４の透液性トップシート１への固着始端が、バリヤーカフスＢ１の近位縁Ｅ２を形成し、この近位縁Ｅ２より内側は、製品本体に固定されない自由に起立する起立領域Ｚとなる。
【００３９】
他方、長手方向端部におけるバリヤーシート４とこれを除く製品との固定関係について着目すると、バリヤーシート４の起立領域Ｚにおける長手方向両端部は、製品の使用面側に対して、実施の形態では透液性トップシート１の使用面側に対して、直接ホットメルト接着剤により固定してある。
【００４０】
バリヤーシート４の材料としては、液不透過性のプラスチックフィルムやシリコン処理などによる撥水性の通気性で実質的に液不透過性の不織布を利用することができる。
【００４１】
吸収体３の側縁より若干外方に延在し、透液性トップシート１と不透液性シート２とをホットメルト接着剤などにより固着した部分には、適宜数の、実施の形態では３本のフラップ部弾性伸縮部材５Ｂ，５Ｂ，５Ｂを介在配置してある。このフラップ部弾性伸縮部材５Ｂ，５Ｂ，５Ｂは、伸長下で不透液性シート２に対し、ホットメルト接着剤により固定してある。以上で使用する弾性伸縮部材５Ａ及び５Ｂは、例えば、糸ゴムや帯状ゴムなどにより構成することができる。なお、９は止着テープである。又、フラップ部弾性伸縮部材は省略し、バリヤーカフスのみの形態とすることもできる。
【００４２】
この実施の形態において、図２に示すように、脚周りに接触する不透液性シート２を製品の前後方向中心側に向かって折り返し、この不透液性シート２の折り返し部が脚周りに接触する製品の側縁Ｅ３とすることができる。このように構成すると、不透液性シート２の側縁（エッジ）が使用者の脚Ｌと接触しなくなる。したがって、脚Ｌ周りの肌が荒れたり、損傷を受けたりすることがなくなる利点がある。この点、不透液性シート２は、吸収体３に浸透した体液を外部に漏らさないために使用するものであり、ポリエチレンシート等を使用することが多い。そして、ポリエチレンシートを、（ダイ）カッターで裁断すると、そのエッジが鋭く尖りしかも硬いため、使用者の脚周りの肌を痛め易い。したがって、脚周りの肌と接触するシートが、ポリエチレンシートである場合には、特に上記の利点が顕著に発現する。また、脚周りを構成する製品の側縁は目にはいりやすい部分であるが、この部分をシートの側縁ではなくシートの折り返し部で構成したため、製品に柔らかみが生じる。
【００４３】
＜第２の実施の形態＞
図３は第２の実施の形態を示したもので、透液性のトップシート１と吸収体３と不透液性シート２とをこの順で有する他、吸収体３を包み込むクレープ紙３Ａ、及び使用状態において自由部分が使用面側に起立するバリヤーカフスＢ２を有する。バリヤーカフスＢ２を構成するバリヤーシート４は、透液性トップシート１の側縁及び不透液性シート２の側縁より外方に延在して前後方向中心側に向かって折り返されており（裾の縁部の折り返し）、この折り返し部が脚周りに接触するように構成してある。
【００４４】
この形態においてバリヤーカフスＢ２は、第１の実施の形態で示した、バリヤーカフスＢ１と若干形態を異にし、バリヤーカフスＢ２が起立方向中間附近で製品外方向に反り返った状態となっている。そして、このバリヤーカフスＢ２は、バリヤーシート４を二重とし、その間に配置する基端側弾性伸縮部材５Ａ，５Ａにより起立し、先端側弾性伸縮部材５Ｃ，５Ｃ…により、バリヤーカフスＢ２の起立方向中間附近より上側、すなわち、製品外方向に反り返った部分が使用者の肌に当接するように構成してある。使用者の肌に当接する部分が多いため、漏れ防止効果が向上する。先端側弾性伸縮部材５Ｃ，５Ｃ…としては、基端側弾性伸縮部材５Ａと同様に例えば、糸ゴムや帯状ゴムなどにより構成することができる。この形態による場合、バリヤーシート４の縁部自体をそのまま折り返してもよいが、図３に示すように、不透液性シート２の側縁を包んで折り返すとよい。これにより，折り返し部に不透液性シート２分の膨らみが形成され、感触をソフトにすることができる。
【００４５】
なお，この形態においても、バリヤーカフスＢ２は、図示の形態に限るものではなく、第１の実施の形態で示したバリヤーカフスＢ１と同様の形態にすることもできる。ホットメルト接着剤による接着部分は網点で示した。
【００４６】
＜第３の実施の形態＞
図４は、第３の実施の形態を示したもので、この形態においては、不透液性シート２の裏面に裏面シート６を配置してある。本形態におけるバリヤーカフスは、前述したバリヤーカフスＢ１の形態を若干変更したものであり、バリヤーカフスＢ３を構成するバリヤーシート４を遠位縁Ｅ１で折り返し、折り返したバリヤーシート４を近位縁Ｅ２において、不透液性シート２にホットメルト接着剤等で固定する構成となっている。また、バリヤーシート４及び不透液性シート２の側縁を包み込んで包み込みシート７が設けられ、この包み込みシート７の折り返し部が脚周りに接触する製品の側縁Ｅ３となるように構成してある。包み込みシート７としては、不織布を用いることができるが、特に各シートからの拡散体液阻止を目的とする場合は、撥水処理不織布やプラスチックシートなどを用いるとよい。
【００４７】
＜第４の実施の形態＞
図５は、第４の実施の形態を示したもので、裏面シート６を他のシートの側縁より延在させ、その縁部を折り返す形態としたものである。また、本実施の形態では、トップシート１と吸収体３の上下面を包むクレープ紙３Ａとの間に、セカンドシート３Ｂを介在させ、トップシート１を通る体液の吸収体３への吸収力（吸収速度）の向上及び吸収体からの体液の戻り防止を図った。この形態では、セカンドシート３Ｂをトップシート１とクレープ紙３Ａとの間に介在させたが、この位置に限るものではなく、例えば、不透液性シート２とクレープ紙３Ａとの間に介在させることもできる。
【００４８】
『本発明の肌と接触するシート』について
上記の形態において、本発明における肌と接触するシートとしては、透液性のトップシート１、バリヤーシート４、不透液性シート２、包み込みシート７、裏面シート６を含む。したがって、これらのシートのいずれも本発明に従って、直接法により得られ、繊度が２．１ｄｔｅｘ以下の不織布により形成できる。特に少なくともトップシート１を当該不織布により形成することが望ましい。適用部位により、シートの繊度を相違させることができる。ちなみに、トップシートの場合、１．３〜２．１ｄｔｅｘ、裏面シートの場合、１．５〜２．１ｄｔｅｘの範囲とすることができる。
図６（Ｂ）には本発明の肌と接触する不織布シートの表面を顕微鏡で観察して場合における形状を図示した。
【００４９】
（試験例１）
布おむつでの木綿シートＡ、市販の４種類の紙おむつに用いられているエアースルー不織布（短繊維不織布：２.８ｄｔｅｘ）Ｂ、ポイントボンド不織布（短繊維不織布：２.２ｄｔｅｘ）Ｃ、スパンボンド不織布（２．３ｄｔｅｘ）Ｄ、スパンボンド不織布（２．２ｄｔｅｘ）Ｅ、ならびに本発明に係るスパンボンド不織布（２．０ｄｔｅｘ）Ｘを用い、これらをトップシートとし、図５の構造のセカンドシートを有する使い捨て紙おむつを作製した。この６種類の紙おむつについて、ゼラチンゲル表面をトップシートで擦過することにより物理刺激モデル試験を行い、ゼラチンゲル表面に形成される傷の本数及びその傷の深さにより、物理的刺激の評価を行なった。結果を表１に纏めた。また、作製した使い捨て紙おむつのうちＡ，Ｂ，Ｃ及びＸの不織布のみについて、物理的刺激の評価をグラフ化した結果を図７に示す。また、Ａ，Ｂ，Ｃ及びＸにおけるゼラチンゲル表面に形成される位置ごとの傷の発生状況の説明を図８に示す。
【００５０】
【表１】
2002078737.tif 000001
【００５１】
表１及び図７の結果から、いずれも短繊維不織布であるエアースルー不織布Ｂ及びポイントボンド不織布Ｃは、ゼラチンゲル表面部における傷本数、最大傷深さ、平均傷深さ及び積算傷深さのすべてについて、木綿シートＡよりも物理的刺激が大きいことが判る。この点に関し、スパンボンド不織布Ｄ及びＥは、木綿シートＡよりも物理的刺激が小さいことが判った。しかし、なお物理的刺激を生じるものであることも判った。これに対して、本発明のトップシート用スパンボンド不織布Ｘでは、ゼラチンゲル表面部における傷の発生を生じることがない。したがって、本発明のトップシート用スパンボンド不織布Ｘでは、平滑で皮膚に対する物理的刺激が無いまたはきわめて小さいものとなることが判る。
【００５２】
（試験例２）
他方、トップシートの機能として、受け止めた体液を表面で面方向に可能な限り流すことなく内部の吸収体に浸透させ、かつ逆戻りが少ないことが要求される。そこで、トップシートの種類により、これらの特性について、現在市販されている紙おむつを用いて比較試験を行なった。この試験では、試験例１の対象とされた不織布Ｂ、Ｃ及びＤを有する紙おむつについてのみを対象とし、これに対してエアースルー不織布（短繊維不織布：２.２ｄｔｅｘ）Ｆを有する紙おむつ、及びポイントボンド不織布（短繊維不織布：２.２ｄｔｅｘ）Ｇを有する紙おむつを加え、本発明のスパンボンド不織布Ｘ（親水化処理有り）を有する紙おむつを含め、合計６種類の紙おむつにおける体液の浸透性に関して、各紙おむつのトップシートに対して、７０ｃｃごと１０分間隔で３回着色疑似体液を滴下し、トップシート表面での拡散距離（単位ｍｍ）を表面液流れとした。体液の逆戻り抑止性に関しては、次のように逆戻り量（単位ｇ）を測定することにより評価した。すなわち、紙おむつのトップシートを通して、５０ｃｃごと３０分間隔で３回疑似体液を注入し、２０分後に底面積が１００ｃｍ2の５ｋｇのおもりを１０分間載せ加圧する。その後、おもりと紙おむつのトップシートとの間にろ紙を挟み込み、紙おむつからろ紙に吸収された疑似体液量を逆戻り量とする。結果を表２に示す。
【００５３】
【表２】
2002078737.tif 000002
【００５４】
この結果によれば、本発明のトップシート用スパンボンド不織布Ｘを用いた紙おむつは、他の不織布Ｂ，Ｆ，Ｃ，Ｇ及びＤを有する紙おむつに比較して、体液の浸透性及び逆戻り抑止性の両者に優れることが判る。逆戻り抑止性のみでは、スパンボンド不織布（２．３ｄｔｅｘ）Ｄを有する紙おむつが良好な測定値を示しているが、体液の表面液流れの欄に値に着目すると、体液の浸透性は不良であることが判る。
【００５５】
（試験例３）
試験例２における本発明のトップシート用スパンボンド不織布Ｘを用いた紙おむつと、セカンドシートを有しないほかは同一の比較紙おむつ１について、表面液流れ、及び逆戻り量を測定し、セカンドシートを設けた場合と設けない場合との比較を行なった。結果を表３に示す。
【００５６】
【表３】
2002078737.tif 000003
【００５７】
この結果によれば、セカンドシートを設けない場合には、セカンドシートを設ける場合に比較して、体液の浸透性及び逆戻り抑止性が悪化することが判る。
【００５８】
（試験例４）
試験例２における本発明の親水化処理したトップシート用スパンボンド不織布Ｘを用いた紙おむつと、親水化処理してないトップシート用スパンボンド不織布Ｘ0を用いたほかは同一の比較紙おむつ２について、表面液流れを測定し、親水化処理した場合と親水化処理してない場合との比較を行なった。結果を表４に示す。
【００５９】
【表４】
2002078737.tif 000004
【００６０】
この結果によれば、親水化処理してないトップシート用スパンボンド不織布Ｘ0を用いる場合には、親水化処理したトップシート用スパンボンド不織布Ｘを用いる場合に比較して、表面液流れの値が大きいことから体液の浸透性が悪化することが判る。
【００６１】
【発明の効果】
以上の通り、本発明によれば、肌への刺激が少なく「肌触り」が良好であり、「地合」及び「平滑性」に優れる、肌と接触するシートを有する使い捨て吸収性物品を提供することができる。
【図面の簡単な説明】
【図１】
本実施の形態にかかる使い捨て紙おむつの一部破断平面図である。
【図２】
第１の実施の形態における使い捨て紙おむつを着用者に装着した状態における、図１の２Ａ−２Ａ矢視部分でのシートと肌との接触関係を説明する図である。
【図３】
第２の実施の形態の図１の２Ａ−２Ａ線相当部分の矢視図である。
【図４】
第３の実施の形態の図１の２Ａ−２Ａ線相当部分の矢視図である。
【図５】
第４の実施の形態の図１の２Ａ−２Ａ線相当部分の矢視図である。
【図６】
短繊維不織布及び本発明の肌と接触する不織布シートの表面を顕微鏡で観察した場合における形状を対比的に示す説明図である。
【図７】
試験例１の結果を示す図である。
【図８】
試験例１の結果を示す図である。
【符号の説明】
１…透液性トップシート、２…不透液性シート、３…吸収体、４…バリヤーシート、５Ａ…弾性伸縮部材、５Ｂ…フラップ部弾性伸縮部材、５Ｃ…先端側弾性伸縮部材、６…裏面シート、７…包み込みシート、９…止着テープ、Ｂ１，Ｂ２，Ｂ３…バリヤーカフス、Ｅ１…遠位縁、Ｅ２…近位縁、Ｅ３…製品の側縁、Ｌ…脚、Ｚ…起立領域。